(57)【要約】【課題】開閉器の製造コストを低減させることができる開閉器の吊下金具取付構造体を提供することにある。【解決手段】本体ケース１４のフランジ部の下面に吊下金具２１の一部が配置されている。そして、フランジ部と蓋体１５とを締結固定する締結体１８ａ（ボルト１９及びナット２０）を利用して、吊下金具２１とフランジ部とを締結固定した。よって、吊下金具２１を取付けるための部材を設ける必要がなくなるため、部品点数を削減することができ、溶接箇所も削減することができる。そして、フランジ部と蓋体１５とを締結固定する締結体１８ａ（ボルト１９及びナット２０）を利用するため、吊下金具２１とフランジ部とを締結固定する専用の締結体を設ける必要もない。【選択図】      図１
2006210071.tif 000002
【特許請求の範囲】
【請求項１】
本体ケースの上部に蓋体を備え、
前記本体ケースの開口部外周にフランジ部を備え、
前記フランジ部の下面を吊り下げ支持する吊下金具を設け、
前記吊下金具と前記フランジ部とを締結固定したことを特徴とする開閉器の吊下金具取付構造体。
【請求項２】
前記フランジ部と前記蓋体とを締結固定する蓋固定用締結体を利用して、前記吊下金具を前記フランジ部に締結固定したことを特徴とする請求項１に記載の開閉器の吊下金具取付構造体。
【請求項３】
開閉器運搬用の取手を備え、
前記取手は、前記吊下金具と共に前記フランジ部に締結固定されていることを特徴とする請求項１又は請求項２に記載の開閉器の吊下金具取付構造体。
【発明の詳細な説明】
【技術分野】
【０００１】
本発明は、開閉器を吊下支持する吊下金具の取付構造体に関するものである。
【背景技術】
【０００２】
従来、電柱に固定された開閉器としては、特許文献１に示す開閉器が知られている。特許文献１の開閉器は、本体ケースの短手方向の側壁に締付支持部材が設けられ、その締付支持部材の上面には、蓋及び取付部材が各々ボルト及びナットにより締結固定されている。その取付部材には、吊下げボルトが連結され、吊下げボルトにより電柱に固定された腕金に落下不能に固定されている。
【特許文献１】特開２００１−２３４８１号公報
【発明の開示】
【発明が解決しようとする課題】
【０００３】
ところが、前記従来の開閉器においては、本体ケースの短手方向の側壁に締付支持部材が溶接により固定されていた。溶接は加工コストが高いため、溶接箇所が多いと開閉器の製造コストが高くなるという問題点があった。
【０００４】
本発明は、前述した事情に鑑みてなされたものであって、その目的は開閉器の製造コストを低減させることができる開閉器の吊下金具取付構造体を提供することにある。
【課題を解決するための手段】
【０００５】
上記目的を達成するために、請求項１に記載の発明は、本体ケースの上部に蓋体を備え、前記本体ケースの開口部外周にフランジ部を備え、前記フランジ部の下面を吊り下げ支持する吊下金具を設け、前記吊下金具と前記フランジ部とを締結固定したことを要旨とする。
【０００６】
請求項２に記載の発明は、請求項１に記載の発明において、前記フランジ部と前記蓋体とを締結固定する蓋固定用締結体を利用して、前記吊下金具を前記フランジ部に締結固定したことを要旨とする。
【０００７】
請求項３に記載の発明は、請求項１又は請求項２に記載の発明において、開閉器運搬用の取手を備え、前記取手は、前記吊下金具と共に前記フランジ部に締結固定されていることを要旨とする。
【０００８】
（作用）
請求項１に記載の発明によれば、本体ケースのフランジ部の下面が吊下金具にて吊下げ支持されると共に、吊下金具とフランジ部とが締結固定されている。このため、開閉器を腕金に吊下げたとき安定して設置される。また、吊下金具を取付けるための部材を設ける必要がないため、部品点数が削減され、溶接箇所も削減される。
【０００９】
請求項２に記載の発明によれば、請求項１に記載の発明の作用に加えて、フランジ部と蓋体とを締結固定する蓋固定用締結体を利用して、吊下金具がフランジ部に締結固定されている。このため、吊下金具とフランジ部とを締結固定する専用の締結体を設ける必要がない。従って、開閉器の部品点数が削減される。
【００１０】
請求項３に記載の発明によれば、請求項１又は請求項２に記載の発明の作用に加えて、取手とフランジ部とを締結固定する専用の締結体を設ける必要がない。従って、開閉器の部品点数が削減される。
【発明の効果】
【００１１】
本発明によれば、部品点数及び溶接箇所を削減することにより開閉器の製造コストを低減させることができる。
【発明を実施するための最良の形態】
【００１２】
以下、本発明を開閉器に具体化した一実施形態を図１〜図７に従って説明する。
図２に示すように、開閉器１１は、電柱１２に固定した四角柱状の腕金１３に吊されるものである。開閉器１１は、外観が直方体となるように略四角箱状に形成されており、本体ケース１４と蓋体１５とを備えている。本体ケース１４は、上部を開口した開口部Ｋ（図４参照）とされており、その全体形状が底部１４ａを有する略四角筒状とされている。図１及び図３に示すように、底部１４ａが長方形状とされていることにより、本体ケース１４の４つ側部は、互いに対向する一対の長手側部１４ｂ，１４ｃと、互いに対向する一対の短手側部１４ｄ，１４ｅとなっている。図２に示すように、長手側部１４ｂ，１４ｃは、底部１４ａの長手辺に一体に連結されており、短手側部１４ｄ，１４ｅは、底部１４ａの短手辺に一体に連結されている。長手側部１４ｂ，１４ｃには、三相のブッシングＢ（長手側部１４ｂのみ図示）が取付けられており、短手側部１４ｄには図示しない開閉部を操作するための操作ハンドルＨが設けられている。なお、説明の便宜上、三相のブッシングＢ及び操作ハンドルＨは、図２でのみ図示しており、その他の図面では図示を省略している。
【００１３】
図６に示すように、長手側部１４ｂ，１４ｃ及び短手側部１４ｄ，１４ｅの外面には、フランジ部１６が一体に形成されている。フランジ部１６は、開口部Ｋの周縁全周に対応する位置に形成されている。
【００１４】
図４に示すように、蓋体１５は、開口部Ｋを覆うように配置されている。本体ケース１４のフランジ部１６と蓋体１５との間には、パッキン１７が介在されており、このパッキン１７によりフランジ部１６と蓋体１５とをシールしている。この結果、開閉器１１の気密性が保持されている。前記フランジ部１６と蓋体１５とが、複数の締結体１８にて締結固定されている（図６参照）。締結体１８は、蓋固定用締結体に相当する。締結体１８は、ボルト１９と、そのボルト１９に螺着したナット２０により構成されている。
【００１５】
図６に示すように、本実施形態では、締結体１８は、蓋体１５の四隅に対応する位置と、長手側部１４ｂ，１４ｃに対応する位置にそれぞれ３つずつと、短手側部１４ｄ，１４ｅに対応する位置にそれぞれ１つずつ配置されている。以下、長手側部１４ｂ，１４ｃに対応する位置にそれぞれ３つずつ配置された締結体１８を、締結体１８ａという。
【００１６】
図１に示すように、開閉器１１は、本体ケース１４を吊り下げるための一対の吊下金具２１を備えている。図５（ａ）〜（ｃ）に示すように、吊下金具２１は、金属プレートをプレス加工で打ち抜き形成し、さらに折り曲げ加工して形成されている。吊下金具２１は、本体部２２と、一対の鉤部２３とを備えている。図５（ｃ）に示すように、本体部２２は、断面Ｌ字状となるように形成されている。本体部２２は、互いに一端同士が一体に連結された垂直部２２ａと水平部２２ｂとを備えている。
【００１７】
図５（ａ）に示すように、垂直部２２ａには、開閉器１１を腕金１３に取付ける際にフック等を仮止めするための仮止孔２２ｃが形成されている。垂直部２２ａには、Ｊ字型の吊下ボルト２５（図１参照）に挿通するための挿通孔２２ｄが形成されている。垂直部２２ａには、その上部に腕金１３と係合するための凹部２２ｅが切欠き形成されている。一方、水平部２２ｂの幅方向（図５（ａ）における左右方向）両端には、下方へ向けて延びる前記鉤部２３がそれぞれ形成されている。鉤部２３は、断面Ｌ字状に形成されており、互いに一端同士が一体に連結された垂直部２３ａと水平部２３ｂとを備えている。垂直部２３ａは、水平部２３ｂが一体に連結された端部とは反対側の端部が、前記本体部２２の水平部２２ｂに一体に連結されている。また、一つの吊下金具２１に形成された両水平部２３ｂは、互いに向かい合う方向へ延びるように形成されている。
【００１８】
図５（ｂ）に示すように、水平部２３ｂには、前記締結体１８ａのボルト１９を挿通するための挿通孔２３ｃが形成されている。
図３、図４及び図６に示すように、吊下金具２１は本体ケース１４の短手側部１４ｄ，１４ｅ側から装着される。そして、吊下金具２１に形成された両水平部２３ｂのうち、一方は長手側部１４ｂ、もう一方は長手側部１４ｃに形成されたフランジ部１６の下面Ｍに配置される。この結果、吊下金具２１は、本体ケース１４を吊下げ支持する。水平部２３ｂは、その挿通孔２３ｃに締結体１８ａのボルト１９が挿通された状態で、該ボルト１９及びナット２０によりフランジ部１６に締結固定されている。ちなみに、吊下金具２１は、前記水平部２２ｂ、垂直部２３ａ及び水平部２３ｂにより下向きの断面Ｃ字状に形成されているため、フランジ部１６の長手側部１４ｂ、１４ｃを抱えるように吊下げ支持されている。よって、開閉器１１は上下方向及び短手方向（図３における左右方向）の移動が規制され、またフランジ部１６の下面Ｍと水平部２３ｂの上面とが当接した状態で固定されるため、安定した吊下げ支持が可能となる。
【００１９】
一対の吊下金具２１は、図６における長手側部１４ｂ、１４ｃの２つの締結体１８ａを利用して締結固定される。よって、一対の吊下金具２１の取付間隔は、締結体１８ａの取付孔の間隔で決まることとなる。
【００２０】
図１及び図３に示すように、開閉器１１は、４つのＪ字型の吊下ボルト２５、その吊下ボルト２５にそれぞれ螺着されるナット２６、及び２つの支持プレート２７を備えている。吊下ボルト２５は、その下部が湾曲しており、その上端には雄ネジ部２５ａが形成されている。吊下金具２１は、その一対の挿通孔２２ｄに一対の吊下ボルト２５の下部が挿通されている。支持プレート２７には、一対の吊下ボルト２５の雄ネジ部２５ａが挿通されている。雄ネジ部２５ａに螺着されたナット２６は、支持プレート２７の上面に係止している。図３に示すように、支持プレート２７が腕金１３の上方に位置し、その支持プレート２７に連結された一対の吊下ボルト２５が腕金１３の両側に位置し、その一対の吊下ボルト２５に吊り下げられた吊下金具２１の凹部２２ｅが腕金１３の下部に係合することにより、開閉器１１は腕金１３に吊下げ固定されている。
【００２１】
図３に示すように、開閉器１１は、開閉器運搬用の２つの取手３０を備えている。図７（ａ）〜（ｃ）に示すように、取手３０は、金属プレートをプレス加工で打ち抜き形成し、さらに折り曲げ加工して形成されている。取手３０は、取付部３１と、把持部３２とを備えている。取付部３１は、長尺な帯状に形成されており、把持部３２が連結された側の側面に３つのボルト挿通切欠部３１ａが形成されている。把持部３２は、図７（ｃ）に示すように断面Ｌ字状に形成され、かつ図７（ｂ）に示すように平面視コ字状に形成されている。コ字状をなす把持部３２の両端は、取付部３１の側面に大きな角度で折り曲げ加工して一体に形成されている。
【００２２】
図３及び図６に示すように、取手３０は長手側部１４ｂ、１４ｃに対応する位置に形成されたフランジ部１６に締結固定され、開閉器の下方向に広がるハの字状に取付けられている。よって、開閉器運搬時持ち易くなっている。
【００２３】
長手側部１４ｂ側に締結固定された取手３０について説明する。
図４に示すように、この取手３０の取付部３１は、吊下金具２１の水平部２３ｂと、フランジ部１６との間に配置されている。図４及び図６に示すように、取付部３１に形成された３つのボルト挿通切欠部３１ａには、前記締結体１８ａのボルト１９がそれぞれ挿通されている。即ち、長手側部１４ｂ側の３つの締結体１８ａのうち、２つの締結体１８ａは、吊下金具２１の水平部２３ｂ、取手３０の取付部３１、フランジ部１６、及び蓋体１５を締結固定し、残りの１つの締結体１８ａは、取手３０の取付部３１、フランジ部１６、及び蓋体１５を締結固定している。
【００２４】
従って、本実施形態によれば、以下のような作用・効果を得ることができる。
（１）本実施形態では、本体ケース１４のフランジ部１６の下面Ｍに吊下金具２１の水平部２３ｂが配置されている。そして、フランジ部１６と蓋体１５とを締結固定する締結体１８ａ（ボルト１９及びナット２０）を利用して、吊下金具２１の水平部２３ｂとフランジ部１６とを締結固定した。
【００２５】
よって、吊下金具２１を取付けるための部材を設ける必要がなくなるため、部品点数を削減することができ、溶接箇所も削減することができる。そして、フランジ部１６と蓋体１５とを締結固定する締結体１８ａ（ボルト１９及びナット２０）を利用するため、水平部２３ｂとフランジ部１６とを締結固定する専用の締結体を設ける必要もない。また、吊下金具２１の水平部２３ｂがフランジ部１６の下面Ｍを吊下げ支持しているため、安定した吊下げが可能となる。さらには、本体ケース１４に吊下金具２１を長手側部のフランジ部１６における所定位置の締結体１８ａに締結固定したため、一対の吊下金具２１は相互の間隔を決めることができる。
【００２６】
（２）取手３０を、吊下金具２１と共にフランジ部１６と蓋体１５とを締結固定する締結体１８ａ（ボルト１９及びナット２０）を利用して、フランジ部１６に締結固定した。よって、取手３０を本体ケースに溶接する必要がなくなるため、溶接箇所を削減することができる。ちなみに一般に開閉器は、取手を本体ケースに溶接したり、ブッシング保護を兼ねる取手を溶接したりして用いている。
【００２７】
（３）長手側部１４ｂ，１４ｃに対応する位置に形成されたフランジ部１６は、短手側部１４ｄ，１４ｅに対応する位置に形成されたフランジ部１６に比して長尺に形成されているので、撓みが発生しやすい。よって、取手３０の取付部３１を吊下金具２１の水平部２３ｂと、フランジ部１６との間に配置してフランジ部１６の長手側部１４ｂ，１４ｃに締結固定することにより、そのフランジ部１６の撓みを抑制することができる。また、取手３０は、取手として機能するだけではなく、フランジ部１６の長手側部の補強、即ち開閉器１１の補強部材としても機能する。
【００２８】
次に、上記実施形態及びその態様の変更から把握できる技術的思想について以下に追記する。
（イ）前記取手は、前記本体ケースの長手側部のフランジ部に締結固定されていることを特徴とする請求項１乃至請求項３に記載の開閉器の吊下金具取付構造体。このため、長手側部のフランジ部の撓みを抑制することができる。また、フランジ部の長手側部の補強、即ち開閉器の補強をすることができる。
【図面の簡単な説明】
【００２９】
【図１】開閉器を一部破断した正面図。
【図２】開閉器を、電柱に固定した腕金に吊した状態を示す概略説明図。
【図３】開閉器を一部破断した側面図。
【図４】開閉器の部分断側面図。
【図５】（ａ）は吊下金具の正面図。（ｂ）は吊下金具の底面図。（ｃ）は吊下金具の側面図。
【図６】図１のＡ−Ａ線矢視断面図。
【図７】（ａ）は取手の正面図。（ｂ）は取手の底面図。（ｃ）は取手の側面図。
【符号の説明】
【００３０】
１１…開閉器、１４…本体ケース、１５…蓋体、１６…フランジ部、１８…蓋固定用締結体にも相当する締結体、１８ａ…締結体、２１…吊下金具、３０…取手、Ｋ…開口部、Ｍ…下面。
【図１】
2006210071.tif 000003
【図２】
2006210071.tif 000004
【図３】
2006210071.tif 000005
【図４】
2006210071.tif 000006
【図５】
2006210071.tif 000007
【図６】
2006210071.tif 000008
【図７】
2006210071.tif 000009